【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
中空内腔、近位開放端および遠位端を備えたシリンジ本体であって、内部に流体を収容するように構成されたシリンジ本体と、
前記シリンジ本体の前記中空内腔内に配置され、前記シリンジ本体の内壁とシールを形成し、前記シリンジ本体内の前記流体の移動を容易にするように前記中空内腔内で摺動可能に移動するように構成されたストッパであって、
基部と、
前記基部から後方へ延在する１つまたは複数の捕捉部材であって、各捕捉部材が傾斜縁を備え、前記傾斜縁は、前記ストッパを流体注入装置のピストンから除去するのを容易にするように、前記ストッパが前記ピストンに対して回転するとき前記１つまたは複数の捕捉部材を半径方向にそらせるように前記ピストンと相互作用するように構成されている、１つまたは複数の捕捉部材と、を備えるストッパと、
を具備するシリンジシステム。
【請求項２】
前記ストッパが、円筒状本体および円錐状突出先端部を備え、前記突出先端部が、前記シリンジ本体の前記遠位端の少なくとも一部を実質的に充填するように寸法付けられ、かつ構成されている、請求項１に記載のシリンジシステム。
【請求項３】
前記ピストンの遠位部分に接続するための結合器をさらに備え、前記結合器が、実質的に周方向の溝を備え、前記溝は、前記周方向溝から半径方向に延在する複数の延長部を有し、前記延長部が、前記ストッパの前記ピストンへの取外し可能な取付を容易にするように構成されている、請求項１に記載のシリンジシステム。
【請求項４】
前記複数の延長部の各々が、各延長部の最外部分の各延長部の１つまたは複数の側面に１つまたは複数の切欠きを含み、前記１つまたは複数の切欠きの各々が、正方形状、矩形、三角形、円形または楕円形である断面形状を有する、請求項３に記載のシリンジシステム。
【請求項５】
前記結合器が、前記周方向溝から先端側に延在するテーパフランジを備え、前記テーパフランジが、前記ストッパに位置する前記１つまたは複数の捕捉部材で係止することにより、前記結合器を前記ストッパに取外し可能に固定するように構成されている、請求項３に記載のシリンジシステム。
【請求項６】
前記１つまたは複数の捕捉部材が、前記ストッパの前記ピストンからの分離に有効に抵抗するように、前記テーパフランジを捕捉しかつ保持するのに十分な量、前記基部の背面を越えて後方に突出している、請求項５に記載のシリンジシステム。
【請求項７】
前記基部が、前記ストッパ内にねじ込まれるように構成された１つまたは複数のらせん状ねじ山を備える、請求項６に記載のシリンジシステム。
【請求項８】
前記１つまたは複数の捕捉部材は、前記ピストンが軸周りで回転するときに、前記周方向溝の半径方向距離が増大するに従い、前記基部から半径方向外側に移動するように構成され得、それにより前記ピストンを前記ストッパから取り外すことが可能になる、請求項７に記載のシリンジシステム。
【請求項９】
前記ピストンの遠位部分に接続するための結合器をさらに備え、前記結合器が、ヒンジを介して前記ピストンの前記遠位部分に取り付けられた角度付きフランジであり、前記角度付きフランジが、前記ピストンの回転移動時、前記ストッパの内壁に配置された１つまたは複数のねじ山と係合するように構成され、それにより前記ストッパが前記ピストンに取り付けられる、請求項１に記載のシリンジシステム。
【請求項１０】
シリンジ内の流体の移動を容易にするように前記シリンジの中空内腔内で摺動可能に移動するように着脱可能に構成されたストッパを具備するプランジャ装置であって、
前記ストッパは、
基部と、
前記基部から後方へ延在する１つまたは複数の捕捉部材であって、各捕捉部材が傾斜縁を備え、前記傾斜縁は、前記ストッパを流体注入装置のピストンから除去するのを容易にするように、前記ストッパが前記ピストンに対して回転するとき前記１つまたは複数の捕捉部材を半径方向にそらせるように前記ピストンと相互作用するように構成されている、１つまたは複数の捕捉部材と、
を備える、プランジャ装置。
【請求項１１】
前記ピストンの遠位部分に接続するための結合器をさらに備え、前記結合器が、実質的に周方向の溝を備え、前記溝は、前記周方向溝から半径方向に延在する複数の延長部を有し、前記延長部が、前記ストッパの前記ピストンへの取外し可能な取付を容易にするように構成されている、請求項１０に記載のプランジャ装置。
【請求項１２】
前記複数の延長部の各々が、各延長部の最外部分の各延長部の１つまたは複数の側面に１つまたは複数の切欠きを含み、前記１つまたは複数の切欠きの各々が、正方形状、矩形、三角形、円形または楕円形である断面形状を有する、請求項１１に記載のプランジャ装置。
【請求項１３】
前記結合器が、前記周方向溝から先端側に延在するテーパフランジを備え、前記テーパフランジが、前記ストッパに位置する１つまたは複数の捕捉部材で係止することにより、前記結合器を前記ストッパに取外し可能に固定するように構成されている、請求項１１に記載のプランジャ装置。
【請求項１４】
前記１つまたは複数の捕捉部材が、前記ストッパの前記ピストンからの分離に有効に抵抗するように、前記テーパフランジを捕捉しかつ保持するのに十分な量、前記基部の背面を越えて後方に突出している、請求項１３に記載のプランジャ装置。
【請求項１５】
前記基部が、前記ストッパ内にねじ込まれるように構成された１つまたは複数のらせん状ねじ山を備える、請求項１４に記載のプランジャ装置。
【請求項１６】
前記１つまたは複数の捕捉部材は、前記ピストンが軸周りで回転するときに、前記周方向溝の半径方向距離が増大するに従い、前記基部から半径方向外側に移動するように構成され得、それにより前記ピストンを前記ストッパから取り外すことが可能になる、請求項１４に記載のプランジャ装置。
【請求項１７】
前記ピストンの遠位部分に接続するための結合器をさらに備え、前記結合器が、ヒンジを介して前記ピストンの前記遠位部分に取り付けられた角度付きフランジであり、前記角度付きフランジが、前記ピストンの回転移動時、前記ストッパの内壁に配置された１つまたは複数のねじ山と係合するように構成され、それにより前記ストッパが前記ピストンに取り付けられる、請求項１０に記載のプランジャ装置。
【請求項１８】
前記１つまたは複数の捕捉部材が、前記テーパフランジが接触すると外側に撓曲し、その後、前記テーパフランジを通過した後に元の位置にスナップ式に戻って前記周方向溝と係合するように、可撓性材料から構成されている、請求項６に記載のシリンジシステム。
【請求項１９】
前記１つまたは複数の捕捉部材が、前記周方向溝と係合するように構成された少なくとも１つの内側に面する肩部を備える、請求項６に記載のシリンジシステム。
【請求項２０】
前記１つまたは複数の捕捉部材が、前記少なくとも１つの内側に面する肩部を越えて近位側に延在する少なくとも１つの延長部をさらに備える、請求項１９に記載のシリンジシステム。
【請求項２１】
前記結合器が前記ピストンの前記遠位部分に固定して取り付けられている、請求項１１に記載のプランジャ装置。
【請求項２２】
前記１つまたは複数の捕捉部材が、前記テーパフランジが接触すると外側に撓曲し、その後、前記テーパフランジを通過した後に元の位置にスナップ式に戻って前記周方向溝と係合するように、可撓性材料から構成されている、請求項１３に記載のプランジャ装置。
【請求項２３】
前記１つまたは複数の捕捉部材が、前記周方向溝と係合するように構成された少なくとも１つの内側に面する肩部を備える、請求項１３に記載のプランジャ装置。
【請求項２４】
前記１つまたは複数の捕捉部材が、前記少なくとも１つの内側に面する肩部を越えて近位側に延在する少なくとも１つの延長部をさらに備える、請求項２３に記載のプランジャ装置。